(57)【要約】    【課題】  鉛合金製のシートがエキスパンド加工中に、製造装置の内部でからみつく現象を抑制する    【解決手段】  帯状をした鉛合金製のシートを間歇的に移動をさせながら、上刃2と下刃1とによってエキスパンド加工をしてエキスパンド格子4を製造する。ここで、下刃1の略中央の長さ方向には、複数の穴部3を設ける。そして、下刃1の穴部3から上方に位置するエキスパンド格子4の無地部5に向けて、コンプレッサによって圧縮された空気8を送り込みながら、鉛合金製のシートのエキスパンド加工をする。【選択図】          図１
2005285596.tif 000002
【特許請求の範囲】
【請求項１】
帯状をした鉛合金製のシートを間歇的に移動をさせながら、上刃と下刃とによってエキスパンド加工をしてエキスパンド格子を製造するエキスパンド格子の製造装置において、
前記下刃の略中央部分の長さ方向には、複数の穴部が設けられており、
該穴部から上方に位置する前記エキスパンド格子の無地部に向けて圧縮された空気を送り込みながら、前記エキスパンド加工をすることを特徴とするエキスパンド格子の製造装置。
【請求項２】
帯状をした鉛合金製のシートを間歇的に移動をさせながら、上刃と下刃とによってエキスパンド加工をしてエキスパンド格子を製造するエキスパンド格子の製造方法において、
前記下刃の略中央部分の長さ方向には、複数の穴部が設けられており、
該穴部から上方に位置する前記エキスパンド格子の無地部に向けて圧縮された空気を送り込みながら、前記エキスパンド加工をすることを特徴とするエキスパンド格子の製造方法。
【発明の詳細な説明】
【技術分野】
【０００１】
本発明は、自動車用鉛蓄電池などの電極の製造に使用をするエキスパンド格子の製造装置及びエキスパンド格子の製造方法に関するものである。
【背景技術】
【０００２】
従来の自動車用鉛蓄電池などの電極の製造に使用をするエキスパンド格子は、帯状をした鉛−カルシウム−錫合金製のシートを、レシプロ式のエキスパンダーと呼ばれている製造装置でエキスパンド加工をして製造されていた。
【０００３】
すなわち、図２に示すように、上下に往復運動をする多数のカッターの付いた上刃2と、上刃2に対向する下刃1との間を、帯状をした約１ｍｍ程度の鉛−カルシウム−錫合金製のシートを間歇的に右側方向に移動をさせながら切込みを入れていく。そして、切込みを入れたシートを、図２においては、上下方向（実際には、シートの進行方向に対して略直角方向。）に順次展開をするエキスパンド加工をする。すなわち、鉛合金製のシートをエキスパンド加工をすることによって、無地部5とメッシュ部6とを有するエキスパンド格子4を製造するものである（例えば、特許文献１参照。）。
【０００４】
【特許文献１】特開平７−６５８３７号公報
【発明の開示】
【発明が解決しようとする課題】
【０００５】
しかしながら、上記した鉛−カルシウム−錫等の鉛合金製のシートに切込みを入れる際、展開をする際、さらには間歇的に右側方向に移動をさせる際に、上刃2と下刃1との間や、図１に示される押えガイド7と下刃1との間にシートが、からみつくような場合が多数認められていた。
【０００６】
この原因としては、切込みを入れる際、展開する際、さらには間歇的に移動をさせる際、いわゆるエキスパンド加工中に、鉛合金製のシートが折れ曲がったり、反ったりするためである。このような場合には、作業者は製造装置を停止させ、からみついた鉛合金製のシートの部分を取り除き、製造装置の再起動をかける必要があり、作業者にとって煩わしいものであった。
【０００７】
本発明の目的は、鉛合金製のシートがエキスパンド加工中に、エキスパンダーと呼ばれている製造装置の内部でからみつく現象を抑制することである。
【課題を解決するための手段】
【０００８】
上記した課題を解決するために、本発明に係わるエキスパンド格子の製造装置は、エキスパンド格子の無地部と対向する下刃の部分に、穴部を設けておき、該穴部から無地部に向けて空気を送り込むものである。そして、鉛合金製のシートが常に上方向に力がかかっている状態又は浮かせた状態でエキスパンド加工をするものである。
【０００９】
すなわち、請求項１の発明は、帯状をした鉛合金製のシートを間歇的に移動をさせながら、上刃と下刃とによってエキスパンド加工をしてエキスパンド格子を製造するエキスパンド格子の製造装置において、
前記下刃の略中央部分の長さ方向には、複数の穴部が設けられており、該穴部から上方に位置する前記エキスパンド格子の無地部に向けて圧縮された空気を送り込みながら、前記エキスパンド加工をすることを特徴とするものである。
【００１０】
請求項２の発明は、帯状をした鉛合金製のシートを間歇的に移動をさせながら、上刃と下刃とによってエキスパンド加工をしてエキスパンド格子を製造するエキスパンド格子の製造方法において、
前記下刃の略中央部分の長さ方向には、複数の穴部が設けられており、該穴部から上方に位置する前記エキスパンド格子の無地部に向けて圧縮された空気を送り込みながら、前記エキスパンド加工をすることを特徴とするものである。
【発明の効果】
【００１１】
本発明の効果として、鉛合金製のシートが、エキスパンド加工中にエキスパンダーと呼ばれている製造装置の内部でからみつく現象を低減させることができるために、工業上きわめて有用なものである。
【発明を実施するための最良の形態】
【００１２】
本発明は、鉛−カルシウム−錫合金製のシートをレシプロ式のエキスパンダーと呼ばれている製造装置でエキスパンド加工をする、エキスパンド格子4の製造に関するものである。
【００１３】
鉛−カルシウム−錫合金等の鉛合金シートが、エキスパンド加工中にエキスパンダーと呼ばれている製造装置の内部でからみつく現象を詳細に観察をした。その結果、この原因のうちの重要な要因の一つとして、上下の往復運動をする多数のカッターの付いた上刃2と下刃1とによって切込みを入れたシートが、そのまま下刃1とくっついた状態又は分離されていない状態となる場合が生じる。そして、その状態のままで間歇的に右方向にシートを移動をさせているために起こることが明らかになった。以下において、本発明の実施をするための最良の形態を図１、図２を用いてより詳細に説明をする。
【００１４】
図２に示すように、上下方向に往復運動をする多数のカッターの付いた上刃2を用いている。この上刃2は、多数のカッター刃で構成され、図２の左端から右端にかけて上下一対の刃の間隔が漸次狭くなるように、階段状に配列がされており、従来から使用されているものである。
【００１５】
一方、下刃1は、上刃2と対向するように、図２の左端から右端にかけて上下一対の間隔が漸次狭くなるように階段状に構成されており、これも従来から使用されているものである。
【００１６】
そして、上刃2に対向する下刃1とによって、帯状をした鉛−カルシウム−錫合金製のシートを間歇的に右側方向に移動をさせながら切込みを入れていく。そして、切込みを入れたシートを、図２において、上下方向に展開をすることによってエキスパンド加工をし、無地部5とメッシュ部6とを有するエキスパンド格子4を製造するものである（図２）。
【００１７】
本発明に係わるエキスパンド加工製造装置の特徴部分は、下刃1の略中央の長さ方向に、複数の穴部3を設けている点である。そして、穴部3から上方に位置するエキスパンド格子4の無地部5に向けて、図示されていないブロワやコンプレッサ等によって圧縮された空気を送り込むようにした。すなわち、穴部3からエキスパンド格子4の無地部5に向けて、圧縮された空気を送り込みながら、鉛合金シートのエキスパンド加工をして、無地部5とメッシュ部6とを有するエキスパンド格子4を製造するものである（図２）。
【００１８】
図１は、上述した鉛合金シートのエキスパンド加工の状況をより詳細に説明をした図である。なお、図２では詳細な部分を省略をしたが、上刃2と下刃1との間のエキスパンド格子4の無地部5に対向する部分には、押えガイド7が設けられている。そして、該押えガイド7によって、エキスパンド加工をされたエキスパンド格子4が、上刃2から切り離されるようにされている。
【００１９】
本発明に係わるエキスパンダーは、下刃1の穴部3から上方に位置するエキスパンド格子4の無地部5に向けて、例えば、図示されていないブロワ等を用いて、圧縮された空気を送り込むようにした。かくして、上刃2と下刃1によってエキスパンド加工をされたエキスパンド格子4は、そのまま下刃1と接触又はくっついた状態となることはない。すなわち、穴部3から上方に向けた圧縮された空気によって、エキスパンド加工をされたエキスパンド格子4は、下刃1から分離されるようにした。
【００２０】
従って、鉛−カルシウム−錫合金製のシートが、下刃1と接触した状態で、そのままで間歇的に右方向に移動をすることがない。そして、鉛−カルシウム−錫合金製のシートが、加工中にエキスパンダーと呼ばれている製造装置の内部でからみつく現象を抑制することができる。その結果、鉛−カルシウム−錫合金製のシートのエキスパンド加工を、円滑に行うことができる。
【００２１】
このように本発明に係わるエキスパンド格子の製造装置は、下刃1の略中央の長さ方向に、多数の穴部3を設け、該穴部3から上方に位置するエキスパンド格子4の無地部5に向けて圧縮された空気を送り込みながら、エキスパンド加工をして、エキスパンド格子4を製造するものである。そして、鉛合金製シートの加工中に、製造装置の内部で鉛合金製シートがからみつく現象を抑制することができる。
【産業上の利用可能性】
【００２２】
本発明は、自動車用鉛蓄電池などの製造に使用するエキスパンド格子を製造するレシプロ式の製造装置に用いることができる。
【図面の簡単な説明】
【００２３】
【図１】本発明に係わる特徴的な下刃の部分とエキスパンド格子の関係を示す概略断面図である。
【図２】本発明に係わるレシプロ式の製造装置及びエキスパンド格子を示す概略図である。
【符号の説明】
【００２４】
１：下刃、２：上刃、３：穴部、４：エキスパンド格子、５：無地部、６：メッシュ部、
７：押えガイド、８：空気
【図１】
2005285596.tif 000003
【図２】
2005285596.tif 000004